(57)【要約】【課題】小型、安価で家庭で簡便に使用でき、腰部牽引装置として使用しない時には旅行用スーツケースと同等の大きさ、形状に収納することが可能な腰部牽引装置、ならびに腰部牽引を行わない時には機能性の高い椅子として利用できる椅子に組み込まれた腰部牽引装置を提供する。【解決手段】（イ）腰部牽引装置全体を、使用時には使用者が上半身を固定する台状のモジュールＡ、骨盤部を固定する台状のモジュールＢの２つのモジュール筺体とガイドレールの組合せによって構成するとともに、収納時には各モジュール筐体を上面または底面のいずれかを組み合わせた状態で重ね合わせて係止し、旅行用スーツケースと同等の大きさ、形状に収納できるようにする。（ロ）上記の、２つのモジュール筐体とガイドレールの組合せによって構成された腰部牽引装置を、機能性の高い椅子の椅子背もたれに組み込んで提供する。【選択図】図１
2007202877.tif 000002
【特許請求の範囲】
【請求項１】
（イ）使用者が仰臥位で上半身を乗せ、腋下支持具を両腕腋下に挟み込むなどの方法により上半身を固定する台状のモジュールＡと、モジュールＡとは独立し、使用者が骨盤部を乗せ骨盤係止具により固定する台状のモジュールＢを、使用者の身長方向に配置された１本または複数本のガイドレールに沿って設置面上に組み合わせて配置する。
（ロ）モジュールＡまたはモジュールＢは、ころ機構を介して設置面に接地し、ガイドレールに沿って設置面上を使用者の身長方向に自由動する。モジュールＡあるいはモジュールＢのいずれかが設置面上を自由動しない場合、自由動しないモジュールＡあるいはモジュールＢは、筐体底部外側に取り付けられたゴムなどの高摩擦材を用いた接地用固定具を介して設置面に接するなどの方法により、設置面に対して水平方向に固定されるとともに、ガイドレールに対しても水平方向に固定ないしはショックアブソーバー機構などの緩衝機構を介して半固定状態で組み合わされる。
（ハ）モジュールＡまたはモジュールＢは、制御モーターを用いた動力機構を筐体に内蔵する。モジュールＡまたはモジュールＢに内蔵された動力機構は、歯車、チェーンベルト、ワイヤー、滑車などの動力伝達機構を介してガイドレールと連結されるか、あるいは同様の動力伝達機構を介して、設置面と接地する部分に滑り止め処理を施したころ機構と連結されるか、あるいはガイドレールに固着された滑車とワイヤー、あるいは歯車とチェーンベルトなどを組み合わせた動力反転機構を加えた動力伝達機構を介して、該動力機構が内蔵されたモジュール筺体自体あるいはもう一方のモジュール筐体に連結される。
（ニ）モジュールＡとモジュールＢは、各筐体の上面または底面のいずれかを組み合わせた状態で重ね合わせて係止し、収納することが可能な形状を為す。モジュールＡとガイドレールの組合せ部分またはモジュールＢとガイドレールの組合せ部分は取り外し可能な構造を為すか、あるいはガイドレールがモジュールＡまたはモジュールＢと組み合わされたまま、両モジュールの間のいずれかの位置で屈曲または分割される構造を為す。
上記（イ）、（ロ）、（ハ）、（ニ）の記載に基づき構成されることを特徴とするモジュール式腰部牽引装置。
【請求項２】
ガイドレールが設置面を兼ねるようにモジュールＡまたはモジュールＢとガイドレールが組み合わされることを特徴とする請求項１記載のモジュール式腰部牽引装置。
【請求項３】
請求項１（イ）、（ロ）、（ハ）の記載に基づき構成されることを特徴とするとともに、リクライニング機構を有する旅客機用シート、自動車用シートやコンピュータ作業用椅子、事務用椅子などのデザイン性、機能性の高い椅子の椅子背もたれ部に組み込まれた状態で提供されることを特徴とするモジュール式腰部牽引装置。
【発明の詳細な説明】
【技術分野】
【０００１】
請求項１および請求項２に記載のこの発明は、大量生産に適した２つの台状の小型のモジュールとガイドレールの組合せによって構成された単純なモジュール化構造を持つため、装置全体が小型かつ安価に提供され、腰痛症状を持つ使用者が家庭で簡便に使用することができるとともに、使用しない時には旅行用と同等の大きさ、形状にコンパクトに収納可能であり、出張や湯治など長期の旅行時にも簡便に携行可能な、モジュール式腰部牽引装置に関する。  
【０００２】
また、上記のモジュール化構造の利点を活用した請求項３のこの発明は、旅客機で海外と日本を頻繁に往復するビジネスマン、あるいは自動車運転手やコンピュータ作業者、事務員など、長時間座ることが必要な職業に従事する腰痛症状を持つ使用者が、業務に重大な支障を来たすことなく、休憩時間などを利用して腰部牽引を行えるように、腰部牽引を行わない時には旅客機用シート、自動車用シートやコンピュータ作業用椅子、事務用椅子などのデザイン性、機能性の高い椅子として使用できる椅子の椅子背もたれに組み込まれることを特徴とするモジュール式腰部牽引装置に関する。
【背景技術】
【０００３】
従来の腰部牽引装置は一般に大型、かつ高価であり、家庭に常備して使用することが困難であった。その結果、腰部牽引を行いたい一般個人は多くの場合、相当の移動時間と交通費をかけて医療機関に赴き、長時間順番待ちをした上で、治療費を支払って腰部牽引を行わざるを得なかった。一方、公的保険給付対象行為として腰部牽引が行われた場合には公的医療費負担が生じ、ひいては国家財政の赤字増大要因の一つとなっている。
【０００４】
これらの問題を解決できる可能性を有する手段としては、特許公開平８−２６６５６７に見られる家庭用の腰部牽引装置や 、登録実用新案第３０６０７８２号に見られる折畳み式電動牽引器があった。
【０００５】
また、旅客機で海外と日本を頻繁に往復するビジネスマン、自動車運転手やコンピュータ作業者、事務員など、長時間座ることが必要な職業に従事する者が腰痛症状に悩むケースは多いが、これらの者は、長時間業務を中断するか業務終了後に、医療機関に赴かなければ腰部牽引を行えなかった。
【０００６】
この問題を解決できる可能性を有する手段としては、特許公開平８−２６６５６７に見られる、座椅子として利用できる家庭用の腰部牽引装置があった。
【特許文献１】特許公開平８−２６６５６７号公報
【非特許文献１】登録実用新案第３０６０７８２号公報
【発明の開示】
【発明が解決しようとする課題】
【０００７】
従来の技術、例えば医療機関向けの腰部牽引装置は一般に大型かつ高価であり、家庭に常備して使用することは困難であった。また、特許公開平８−２６６５６７に見られる家庭用の腰部牽引装置や 、登録実用新案第３０６０７８２号に見られる折畳み式電動牽引器など、家庭に常備することを課題とした腰部牽引装置であっても、使用者の体や装置を支えるためのベース板やフレームなど、装置の基礎構造をなす比較的大型の構造用部材が必要で、家庭内で使用または収納するにはかなりのスペースが必要であった。また、いずれの場合も出張や湯治など使用者が長期に旅行する場合に旅行先に簡便に携行することは実質的に不可能であり、特に発展途上国など医療用施設の利用が困難な地域への長期業務出張などの場合には、帰国するまで腰部牽引装置を利用することをあきらめざるを得なかった。
【０００８】
これらの従来技術に対して請求項１および請求項２に記載の本発明は、装置の構造上大型の構造用部材を必要とせず、小型、安価で家庭で簡便に使用することができるとともに、腰部牽引装置として使用しない時には旅行用スーツケースと同等の大きさ、形状にコンパクトに収納することが可能で、長期業務出張や湯治など長期の旅行時にも旅行先に携行可能という、これまでの利用上の種々の問題点を解消する腰部牽引装置を提供することを課題とする。
【０００９】
また、従来の技術、すなわち特許公開平８−２６６５６７に見られる、座椅子として利用できる家庭用の腰部牽引装置では、椅子として利用する場合の椅子背もたれ部分が腰部牽引装置の上半身固定台、椅子座面が腰部牽引装置の下半身固定台という構成で提供されるものであるため、椅子としての構造上の制約が生じ、旅客機用シート、自動車用シートやコンピュータ作業用椅子、事務用椅子などが本来的に備えるべきデザイン性、座り心地の良さなどの機能性の高さを損なうという難点があった。
【００１０】
この従来技術に対して請求項３に記載の本発明は、旅客機で海外と日本を頻繁に往復するビジネスマン、自動車運転手やコンピュータ作業者、事務員など、長時間座ることが必要な職業に従事する腰痛症状を持つ使用者が業務に重大な支障を来たすことなく、休憩時間などを利用して簡便に腰部牽引を行えるように、腰部牽引を行わない時には、旅客機用シート、自動車のシートやコンピュータ作業用椅子、事務用椅子などのデザイン性、機能性の高い椅子として使用できる椅子の椅子背もたれに組み込まれた状態で提供されることを特徴とする腰部牽引装置を提供することを課題とする。
【課題を解決するための手段】
【００１１】
請求項１および請求項２に記載の本発明に於けるモジュール式腰部牽引装置は、装置全体を小型で、大量生産にも適した上半身固定用、骨盤部固定用の２つの小型のモジュール筺体およびガイドレールの組合せによって構成することによって、前掲の課題を解決しようとするものである。具体的には、
（イ）使用者が仰臥位で上半身を乗せ、腋下支持具を両腕腋下に挟み込むなどの方法により上半身を固定する台状のモジュールＡと、モジュールＡとは独立し、使用者が骨盤部を乗せ骨盤係止具により固定する台状のモジュールＢを、使用者の身長方向に配置された１本または複数本のガイドレールに沿って設置面上に組み合わせて配置する。
（ロ）モジュールＡまたはモジュールＢは、ころ機構を介して設置面に接地し、ガイドレールに沿って設置面上を使用者の身長方向に自由動する。モジュールＡあるいはモジュールＢのいずれかが設置面上を自由動しない場合、自由動しないモジュールＡあるいはモジュールＢは、筐体底部外側に取り付けられたゴムなどの高摩擦材を用いた接地用固定具を介して設置面に接するなどの方法により、設置面に対して水平方向に固定されるとともに、ガイドレールに対しても水平方向に固定ないしはショックアブソーバー機構などの緩衝機構を介して半固定状態で組み合わされる。
（ハ）モジュールＡまたはモジュールＢは、制御モーターを用いた動力機構を筐体に内蔵する。モジュールＡまたはモジュールＢに内蔵された動力機構は、歯車、チェーンベルト、ワイヤー、滑車などの動力伝達機構を介してガイドレールと連結されるか、あるいは同様の動力伝達機構を介して、設置面と接地する部分に滑り止め処理を施したころ機構と連結されるか、あるいはガイドレールに固着された滑車とワイヤー、あるいは歯車とチェーンベルトなどを組み合わせた動力反転機構を加えた動力伝達機構を介して、該動力機構が内蔵されたモジュール筺体自体あるいはもう一方のモジュール筐体に連結される。
【００１２】
本装置が、請求項１または請求項２のモジュール式腰部牽引装置として提供される場合には、本項（イ）、（ロ）、（ハ）の手段に加え、モジュールＡとモジュールＢは、各筐体の上面または底面のいずれかを組み合わせた状態で重ね合わせて係止し、収納することが可能な形状を為すとともに、モジュールＡとガイドレールの組合せ部分またはモジュールＢとガイドレールの組合せ部分が取り外し可能な構造を為すか、あるいはガイドレールがモジュールＡまたはモジュールＢと組み合わされたまま、両モジュールの間のいずれかの位置で屈曲または分割される構造を為すことによって、本装置を収納する際には旅行用スーツケースと同等の大きさ、形状にコンパクトに収納することが可能となり、長期業務出張や湯治など長期の旅行時にも簡便に携行することが可能となる。
【００１３】
また、本装置が、請求項３のモジュール式腰部牽引装置として提供される場合には、本項（イ）、（ロ）、（ハ）の手段に加え、腰部牽引装置全体が椅子の椅子背もたれ部分に組み込まれた状態で提供され、腰部牽引を行う際には、椅子背もたれを、椅子のリクライニング機構によりほぼ水平に傾け使用する。本装置を用いて腰部牽引を行わない時には、椅子のリクライニング機構により椅子背もたれを起こすことによって、該椅子は旅客機用シート、自動車のシートやコンピュータ作業用椅子、事務用椅子などのデザイン性、機能性の高い椅子として使用できる。
【発明の効果】
【００１４】
この発明によるモジュール式腰部牽引装置は、装置全体が、上体を乗せ固定するモジュールＡ、骨盤部を乗せ固定するモジュールＢというモジュール化された２つの主要部品とそれを組み合わせて配置するためのガイドレールのみで構成されているため、これまでの腰部牽引装置に比較して、以下の点で著しい進歩性を有しており、前掲の課題の解決に効果がある。
（イ）本装置は装置全体を小型に構成することができるため、設置スペースが狭くても利用でき、家庭内で利用し易い。
（ロ）本装置を構成するモジュールＡ、モジュールＢの主要部品、およびガイドレールはおのおの独立に生産可能で、かつ加工組み立て型の大量生産ラインによる生産にも適しており、生産コストを低下できる。また、部品段階、製品段階での搬送コストも抑えられる。結果として、装置の価格を低く抑えられ、一般家庭への普及がし易いため、国民の医療費負担軽減に対する効果も大きい。
（ハ）本装置が請求項１または請求項２のモジュール式腰部牽引装置として提供される場合、収納時にはモジュールＡ、モジュールＢを重ね合わせて係止し、装置全体を旅行用スーツケースと同等の大きさ、形状にコンパクトに収納できるため、家庭内での収納場所が極めて小さいスペースで済む。また、その形状のまま出張や湯治など使用者が長期に旅行する場合にも携行あるいは宅配便サービスなどを利用して簡便に滞在先へ搬送することができ、旅行先でも利用できる。特に発展途上国など医療用施設の利用が困難な地域へ長期出張した場合、使用者が現地に於いて腰部牽引を行うことができるメリットは大きい。
（ニ）本装置が請求項３のモジュール式腰部牽引装置として提供される場合、旅客機で頻繁に海外と日本を往復するビジネスマン、自動車運転手やコンピュータ作業者、事務員など、長時間座ることが必要な職業に従事する、腰痛症状に悩む使用者が、業務に重大な支障を来たすことなく、休憩時間などを利用して簡便に腰部牽引を行うことができる。
（ホ）本装置が請求項３のモジュール式腰部牽引装置として提供される場合、モジュールＡ、モジュールＢおよびガイドレールは椅子の椅子背もたれ部に組み込んで配置されるため、椅子座面の構造に制約を来たすことがないので、椅子座面は椅子本来の機能のひとつである座り心地を最大限に追求するべく自由に設計することができる。また、椅子背もたれ部に組み込まれたモジュールＡおよびモジュールＢは小型であり外観デザイン的な影響も軽微なため、椅子として必要な機能性を一切損なうことがない。
【発明を実施するための最良の形態】
【００１５】
本発明を実施するための形態について図面を参照して説明するが、本発明ではモジュールＡまたはモジュールＢのいずれを自由動するモジュールとするか、いずれに動力機構を内蔵するか、動力伝達機構を介した動力の作用点をガイドレールとの連結部分とするか、ころ機構と設置面の接点とするか、モジュールＡまたはモジュールＢとの連結部分とするかなど構成方法の選択肢に多様性があるので、ここではその代表例を記載する。すなわち、図１、図２、図３に請求項1のモジュール式腰部牽引装置の実施例１、図４に請求項２のモジュール式腰部牽引装置の実施例２、図５に請求項３のモジュール式腰部牽引装置の実施例３を示す。なお、請求項２、請求項３の発明の実施例の詳細は、請求項１の発明の実施例記述より推定可能である。
【実施例１】
【００１６】
図１、図２、図３では実施例１として、請求項１のモジュール式腰部牽引装置の発明の実施例を示す。この実施例１においては、ガイドレール（１０３）を２本配置し、モジュールＡ（１０１）をころ機構（１０７）を介して接地しガイドレール（１０３）に対して自由動するモジュール、モジュールＢ（１０２）を設置面およびガイドレール（１０３）に対して固定されるモジュールとして構成している。なお、この実施例１においては、動力機構（１５１）はモジュールＡ（１０１）にのみ内蔵され、モジュールＢ（１０２）には内蔵されていない。
【００１７】
まず使用者は、ガイドレール（１０３）をモジュールＡ（１０１）のガイドレール差込み穴（１５４）からモジュールＡ（１０１）にはめ込んで組み合わせ、腋下支持具（１０４）を腋下支持具収納溝（１０５）から起こし、ヘッドレスト（１０８）をヘッドレスト収納溝（１０９）から引き出し、図１のようにモジュール式腰部牽引装置を設置面上に配置する。この実施例１に於いては、モジュールＢ（１０２）は筐体外部底面に設けられた接地用固定具（１１２）を介して接地し、設置面に対して水平方向に固定される。続いて使用者は電源ケーブル（１１１）を電源に接続するなど必要な電源を確保した後、仰臥位でモジュールＡ（１０１）に上体を乗せ腋下支持具（１０４）を両腋に抱える状態で上半身を固定し、骨盤部をモジュールＢ（１０２）に乗せ骨盤係止具（１０６）で固定する。
【００１８】
次に使用者は、リモコン装置（１１０）を通じ、制御用コンピュータプログラムを内蔵した動力制御装置（１５６）を操作して動力機構（１５１）の作動をスタートする。腰部牽引力の強度設定は上限を設けつつ、使用者が任意で設定することを可能とする。腰部の牽引動作は牽引力の強化と弛緩が交互に、かつ安全に行われるよう、動力制御装置（１５６）で自動制御され、一定時間の作動後自動的に作動が終了されるようにする一方、使用者が任意に緊急停止できる任意停止機構も備える。
【００１９】
該装置を用いて腰部牽引を行う場合、使用者の腰部に作用する牽引力の強化は、モジュールＡ（１０１）に内蔵された動力機構（１５１）が発生する動力を、図２に示すモジュールＡ下部構造（１０１ｂ）の内部構造により、動力伝達機構（１５２）を介してガイドレール（１０３）に対する駆動力に変換して伝達し、モジュールＡ（１０１）とモジュールＢ（１０２）がガイドレール（１０３）上で相対的に距離を拡大することによってもたらされる。なお、牽引力の弛緩は、動力機構（１５１）が緩やかに逆回転し、モジュールＡ（１０１）とモジュールＢ（１０２）の距離を拡大しようとする駆動力が弱まるか、なくなることによってもたらされる。
【００２０】
また実施例１では、本モジュール式腰部牽引装置を収納する際には、モジュールＡ（１０１）をガイドレール（１０３）から取り外し、脇下支持具（１０４）を脇下支持具収納溝（１０５）に、ヘッドレスト（１０８）をヘッドレスト収納溝（１０９）に収納した後、モジュールＡ（１０１）底面がモジュールＢ（１０２）上面に組み合わせるように重ね合わせ、モジュールＡ（１０１）とモジュールＢ（１０２）をモジュール留め具（１１３）で係止する。実施例１では、ガイドレール（１０３）のモジュールＡ（１０１）側端部に携行用ハンドル（１１５）を取り付けると共に、モジュールＢ（１０２）の底面端部に２つの移動用キャスター（１１４）を取り付けることにより、収納時に装置全体は図３に示した状態となり、使用者は旅行用キャスターバッグと同様に、移動用キャスター（１１４）で地面を転がしながら本装置を携行・搬送することが可能となる。
【実施例２】
【００２１】
図４では実施例２として、請求項２のモジュール式腰部牽引装置の発明の実施例を示す。この実施例２においては、モジュールＡ（２０１）とモジュールＢ（２０２）を側面から挟み込むようにガイドレール（２０３）２本を配置し、モジュールＡ（２０１）をころ機構（２０７）を介して設置面となるガイドレール（２０３）に接地するとともにそれらに対して自由動するモジュール、モジュールＢ（２０２）をモジュールＡ（２０１）にとっての設置面を兼ねたガイドレール（２０３）に対して水平方向に固定されるモジュールとして構成している。なお、この実施例２においては、動力機構はモジュールＡ（２０１）にのみ内蔵され、モジュールＢ（２０２）には内蔵されていない。
【００２２】
該装置を用いて腰部牽引を行う場合、使用者が、腋下支持具（２０４）を腋下支持具収納溝（２０５）から起こし、ヘッドレスト（２０８）をヘッドレスト収納溝（２０９）から引き出し、図４のようにモジュール式腰部牽引装置を設置面上に配置する。その後使用者が電源ケーブル（２１１）を電源に接続するなど必要な電源を確保した後、仰臥位でモジュールＡ（２０１）に上体を乗せ腋下支持具（２０４）を両腋に抱える状態で上半身を固定し、骨盤部をモジュールＢ（２０２）に乗せ骨盤係止具（２０６）で固定することは、実施例１と同様である。また、リモコン装置（２１０）を通じた操作および牽引動作についても実施例１と同様である。
【００２３】
実施例２において、収納時にはモジュールＡ（２０１）底面がモジュールＢ（２０２）上面に組み合わせるように重ね合わせ、モジュールＡ（２０１）とモジュールＢ（２０２）をモジュール留め具（２１３）で係止することは実施例１と同様である。その際、ガイドレール（２０３）はモジュールＢ（２０２）に取り付けられたまま、取り付けられた部分を支点に回転し折りたたまれた状態でガイドレール納め（２１７）に収納される。腰部牽引装置として使用する際にはガイドレール（２０３）は使用者の身長方向に伸展されるが、その際はモジュールＢ（２０２）筺体側面に設けられたガイドレール返り留め（２１６）により、ガイドレール（２０３）が使用時に設置面に対して垂直方向にずれてしまうことを防止する。もちろん、収納時にはガイドレール返り留め（２１６）を指で押しながらガイドレール（２０３）を回転させ折りたたむことができるようにしている。
【００２４】
実施例２における他の実施形態としては、ガイドレール（２０３）を取り外し式とし、腰部牽引装置として使用する際にのみモジュールＢ（２０２）に組み合わせて固定する方法を取っても良い。また、使用者の使用感を向上するために、ガイドレール（２０３）とモジュールＢ（２０２）の組み合わせ部はショックアブソーバー機構などを加えた半固定状態で組み合わせ、使用者の急な体の動きによる腰部牽引装置への応力負荷、ならびに使用者の身体への負荷を軽減させることも考えられる。
【００２５】
実施例２においては、携行用ハンドル（２１５）はモジュールＢ（２０２）に直接固着しているが、モジュールＢ（２０２）との連結部分に伸縮可能なシャフトを用いれば、シャフトを伸展させることによって実施例１図３と同様の形状となり、使用者は旅行用キャスターバッグと同様に、移動用キャスター（２１４）で地面を転がしながら本装置を携行・搬送することが可能となる。
【実施例３】
【００２６】
図５では実施例３として、請求項３のモジュール式腰部牽引装置の発明の実施例を示す。この実施例３においては、モジュールＡ（３０１）とモジュールＢ（３０２）を側面から挟み込むようにガイドレール（３０３）２本を配置し、モジュールＡ（３０１）をころ機構（３０７）を介して設置面となるガイドレール（３０３）に接地するとともにそれらに対して自由動するモジュール、モジュールＢ（３０２）をモジュールＡ（３０１）にとっての設置面となるガイドレール（３０３）に対して水平方向に固定されるモジュールとして構成し、かつ装置全体を椅子背もたれ（３１８）に組み込まれた構成としている。なお、この実施例３においては、動力機構はモジュールＡ（３０１）にのみ内蔵され、モジュールＢ（３０２）には内蔵されていない。
【００２７】
実施例３において、使用者がモジュール式腰部牽引装置を組み込んだ椅子を腰部牽引装置として使用する場合、使用者は図５に示すように椅子リクライニング機構（３２０）を用いて椅子背もたれ（３１８）を水平近くまでリクライニングする。続いて使用者が、腋下支持具（３０４）を腋下支持具収納溝から起こし、電源ケーブル（３１１）を電源に接続するなど必要な電源を確保した後、仰臥位でモジュールＡ（３０１）に上体を乗せ腋下支持具（３０４）を両腋に抱える状態で上半身を固定し、骨盤部をモジュールＢ（３０２）に乗せ骨盤係止具（３０６）で固定することは、実施例１と同様である。また、リモコン装置（３１０）を通じた操作および牽引動作についても実施例１と同様である。
【００２８】
実施例３における他の実施形態としては、使用者の使用感を向上するために、ガイドレール（３０３）とモジュールＢ（３０２）の組み合わせ部はショックアブソーバー機構などを加えた半固定状態で組み合わせ、使用者の急な体の動きによる腰部牽引装置への応力負荷、ならびに使用者の身体への負荷を軽減させることも考えられる。
【００２９】
実施例３において、該腰部牽引装置を組み込んだ椅子を用いて腰部牽引を行わない場合は、椅子背もたれ（３１８）を起こし、腋下支持具（３０４）を椅子背もたれ（３１８）表面から飛び出ないように折畳んだ状態とすることにより、旅客機用シート、自動車のシートやコンピュータ作業用椅子、事務用椅子などのデザイン性、機能性の高い椅子としてそのまま使用できる。この場合、椅子座面は椅子本来の機能のひとつである座り心地を最大限に追求するべく自由に設計することができる。また、椅子背もたれ部（３１８）に組み込まれたモジュールＡ（３０１）およびモジュールＢ（３０２）は小型であり外観デザイン的な影響も軽微なため、椅子としての機能性を一切損なうことがない。
【産業上の利用可能性】
【００３０】
わが国全体で腰痛に悩む人々の数、いわゆる「腰痛人口」は一説には１，０００万人とも言われ、これらの人々に本モジュール式腰部牽引装置を広く普及すること自体がひとつの産業として成立する可能性がある。それ以外にも、以下のような産業上の利用可能性が考えられる。
（イ）請求項１または請求項２のモジュール式牽引装置を宿泊サービス業者が高齢者団体宿泊者などに対する付加的サービスとして提供することにより、宿泊サービス業者の事業差別化に寄与する可能性がある。
（ロ）請求項１または請求項２のモジュール式牽引装置を介護サービス実施業者が付加的サービスとして常時提供することにより、介護サービス業者の事業差別化に寄与する可能性がある。
（ハ）請求項３のモジュール式牽引装置を航空会社が長距離旅客に対するサービスとして提供することにより、航空会社の事業差別化に寄与する可能性がある。
（二）請求項３のモジュール式牽引装置を自動車製造会社が高級乗用車または長距離用トラック、またはタクシー業界向け車両などに装備するオプショナルサービスとして提供することにより、自動車製造会社の事業差別化に寄与する可能性がある。
（ホ）請求項３のモジュール式牽引装置を事務用椅子製造会社が高級事務用椅子などに装備するオプショナルサービスとして提供することにより、事務用椅子製造会社の事業差別化に寄与する可能性がある。
【図面の簡単な説明】
【００３１】
【図１】請求項１のモジュール式腰部牽引装置の実施方法を示した斜視説明図である。（実施例１）
【図２】請求項１のモジュール式腰部牽引装置の実施方法を示した透視説明図である。（実施例１）
【図３】請求項１のモジュール式腰部牽引装置の実施方法のうち、収納時の状態を示した斜視説明図である。（実施例１）
【図４】請求項２のモジュール式腰部牽引装置の実施方法を示した斜視説明図である。（実施例２）
【図５】請求項３のモジュール式腰部牽引装置の実施方法を示した斜視説明図である。（実施例３）
【符号の説明】
【００３２】
実施例１
１０１    モジュールＡ
１０１ａ  モジュールＡ上部構造
１０１ｂ  モジュールＡ下部構造
１０２    モジュールＢ
１０３    ガイドレール
１０４    腋下支持具
１０５    腋下支持具収納溝
１０６    骨盤係止具
１０７    ころ機構
１０８    ヘッドレスト
１０９    ヘッドレスト収納溝
１１０    リモコン装置
１１１    電源ケーブル
１１２    接地用固定具
１１３    モジュール留め具
１１４    移動用キャスター
１１５    携行用ハンドル
１５１    動力機構
１５２    動力伝達機構
１５３    ガイドレール支持溝
１５４    ガイドレール差込み穴
１５５    Ａ／Ｃアダプター
１５６    動力制御装置
【００３３】
実施例２
２０１    モジュールＡ
２０１ａ  モジュールＡ上部構造
２０１ｂ  モジュールＡ下部構造
２０２    モジュールＢ
２０３    ガイドレール
２０４    腋下支持具
２０５    腋下支持具収納溝
２０６    骨盤係止具
２０７    ころ機構
２０８    ヘッドレスト
２０９    ヘッドレスト収納溝
２１０    リモコン装置
２１１    電源ケーブル
２１２    接地用固定具
２１３    モジュール留め具
２１４    移動用キャスター
２１５    携行用ハンドル
２１６    ガイドレール返り留め
２１７    ガイドレール納め
【００３４】
実施例３
３０１    モジュールＡ
３０２    モジュールＢ
３０３    ガイドレール
３０４    腋下支持具
３０６    骨盤係止具
３０７    ころ機構
３０８    ヘッドレスト
３１０    リモコン装置
３１１    電源ケーブル
３１８    椅子背もたれ
３１９    椅子座面
３２０    椅子リクライニング機構
【図１】
2007202877.tif 000003
【図２】
2007202877.tif 000004
【図３】
2007202877.tif 000005
【図４】
2007202877.tif 000006
【図５】
2007202877.tif 000007